(57)【特許請求の範囲】
【請求項１】
コンテンツ、前記コンテンツの再生時間及び前記コンテンツ毎に異なる提供範囲に関する情報を記憶する記憶手段と、
利用者の現在位置を取得し、移動状況を算出する算出手段と、
前記算出手段により算出された前記利用者の移動状況に基づいて、前記コンテンツの再生時間経過時における前記利用者の位置を推定し、当該推定された位置が前記コンテンツの提供範囲内であるコンテンツを前記記憶手段から選択する選択手段と、
前記選択手段が選択した前記コンテンツを再生する再生手段とを有する案内装置。
【請求項２】
前記選択手段は、前記推定された位置が前記コンテンツの提供範囲内であるコンテンツが前記記憶手段にない場合、前記利用者が前記コンテンツを提供する領域から出るまでの時間と、前記コンテンツの再生時間との差が予め定めた値以下となるコンテンツを選択する請求項１に記載の案内装置。
【請求項３】
前記選択手段は、前記選択したコンテンツの再生時間経過時における前記利用者の位置が前記コンテンツの提供範囲内となるように前記選択したコンテンツの再生時間を変更する請求項２に記載の案内装置。
【請求項４】
前記再生手段は、前記選択手段が変更した再生速度で前記選択した前記コンテンツを再生する請求項３に記載の案内装置。
【請求項５】
前記記憶手段は、前記コンテンツを提供しない領域に関する情報をさらに有し、
前記選択手段は、前記推定された位置が前記コンテンツを提供しない領域内でないコンテンツを前記記憶手段から選択する請求項１−４のいずれかに記載の案内装置。
【請求項６】
前記記憶手段は、利用者の目的及び／又は利用者の属性に関する情報をさらに有し、
前記選択手段は、前記推定された位置が前記コンテンツを提供する領域内であるコンテンツが前記記憶手段から複数選択された場合、前記記憶手段の利用者の目的及び／又は利用者の属性に関する情報と前記利用者の目的及び／又は利用者の属性とが適合するコンテンツを選択する請求項１−４のいずれかに記載の案内装置。
【請求項７】
コンピュータを、
利用者の位置情報を取得し、当該利用者の移動速度を算出する算出手段が算出した前記利用者の現在位置及び移動速度に基づいて、再生時間及びコンテンツ毎に異なる提供範囲が予め定められたコンテンツの当該再生時間経過時における前記利用者の位置を推定し、当該推定された位置が前記コンテンツを提供する領域内であるコンテンツを選択して取得し、再生先へ出力する選択手段として機能させるための案内プログラム。
【請求項８】
コンピュータを、
利用者の位置情報を取得し、当該利用者の移動速度を算出する算出手段が算出した前記利用者の現在位置及び移動速度に基づいて、再生時間及びコンテンツ毎に異なる提供範囲が予め定められたコンテンツの当該再生時間経過時における前記利用者の位置を推定し、当該推定された位置が前記コンテンツを提供する領域内であるコンテンツを選択して取得し、再生先へ出力する選択手段として機能させるための案内プログラムを記録したコンピュータ読み取り可能な記憶媒体。
【請求項９】
コンテンツ、前記コンテンツの再生時間及び前記コンテンツ毎に異なる提供範囲に関する情報を記憶する記憶手段と、
利用者の現在位置を取得し、移動状況を算出する算出手段と、
前記算出手段により算出された前記利用者の移動状況に基づいて、前記コンテンツの再生時間経過時における前記利用者の位置を推定し、当該推定された位置が前記コンテンツの提供範囲内であるコンテンツを前記記憶手段から選択する選択手段とを有する案内装置。
【発明の詳細な説明】
【技術分野】
【０００１】
本発明は、案内装置、案内プログラム及び記憶媒体に関する。
【背景技術】
【０００２】
従来の技術として、自動車等の移動する速度に応じて案内を開始するタイミングを変更する案内装置が提案されている（例えば、特許文献１参照）。
【０００３】
特許文献１に開示された案内装置は、自動車等に取り付けられるものであって、自動車の位置情報を検出する位置検出部と、案内画像を表示する表示部と、案内音声を出力する音声出力部とを有し、自動車が予め定められた通信開始地点を通過すると、位置検出部が検出した複数の位置情報から車速度情報を生成して外部の情報センタに送信する。情報センタは、車速度情報に応じて案内報知開始地点を調整し、案内報知開始地点の位置情報と案内情報とを案内装置に送信する。次に、案内装置は、当該案内報知開始地点の位置情報及び案内情報を受信して、自動車が案内報知開始地点を通過したタイミングで表示部及び音声出力部から案内情報を出力する。
【先行技術文献】
【特許文献】
【０００４】
【特許文献１】特開２０１１−２３７１７５号公報
【発明の概要】
【発明が解決しようとする課題】
【０００５】
本発明の目的は、利用者の移動状況及び案内対象の性質等に応じて案内対象を案内する案内装置、案内プログラム及び記憶媒体を提供することにある。
【課題を解決するための手段】
【０００６】
本発明の一態様は、上記目的を達成するため、以下の案内装置、案内プログラム及び記憶媒体を提供する。
【０００７】
［１］コンテンツ、前記コンテンツの再生時間及び前記コンテンツ毎に異なる提供範囲に関する情報を記憶する記憶手段と、
利用者の現在位置を取得し、移動状況を算出する算出手段と、
前記算出手段により算出された前記利用者の移動状況に基づいて、前記コンテンツの再生時間経過時における前記利用者の位置を推定し、当該推定された位置が前記コンテンツの提供範囲内であるコンテンツを前記記憶手段から選択する選択手段と、
前記選択手段が選択した前記コンテンツを再生する再生手段とを有する案内装置。
【０００８】
［２］前記選択手段は、前記推定された位置が前記コンテンツの提供範囲内であるコンテンツが前記記憶手段にない場合、前記利用者が前記コンテンツを提供する領域から出るまでの時間と、前記コンテンツの再生時間との差が予め定めた値以下となるコンテンツを選択する前記［１］に記載の案内装置。
【０００９】
［３］前記選択手段は、前記選択したコンテンツの再生時間経過時における前記利用者の位置が前記コンテンツの提供範囲内となるように前記選択したコンテンツの再生時間を変更する前記［２］に記載の案内装置。
【００１０】
［４］前記再生手段は、前記選択手段が変更した再生速度で前記選択した前記コンテンツを再生する前記［３］に記載の案内装置。
【００１１】
［５］前記記憶手段は、前記コンテンツを提供しない領域に関する情報をさらに有し、
前記選択手段は、前記推定された位置が前記コンテンツを提供しない領域内でないコンテンツを前記記憶手段から選択する前記［１］−［４］のいずれかに記載の案内装置。
【００１２】
［６］前記記憶手段は、利用者の目的及び／又は利用者の属性に関する情報をさらに有し、
前記選択手段は、前記推定された位置が前記コンテンツを提供する領域内であるコンテンツが前記記憶手段から複数選択された場合、前記記憶手段の利用者の目的及び／又は利用者の属性に関する情報と前記利用者の目的及び／又は利用者の属性とが適合するコンテンツを選択する前記［１］−［４］のいずれかに記載の案内装置。
【００１３】
［７］コンピュータを、
利用者の位置情報を取得し、当該利用者の移動速度を算出する算出手段が算出した前記利用者の現在位置及び移動速度に基づいて、再生時間及びコンテンツ毎に異なる提供範囲が予め定められたコンテンツの当該再生時間経過時における前記利用者の位置を推定し、当該推定された位置が前記コンテンツを提供する領域内であるコンテンツを選択して取得し、再生先へ出力する選択手段として機能させるための案内プログラム。
【００１４】
［８］コンピュータを、
利用者の位置情報を取得し、当該利用者の移動速度を算出する算出手段が算出した前記利用者の現在位置及び移動速度に基づいて、再生時間及びコンテンツ毎に異なる提供範囲が予め定められたコンテンツの当該再生時間経過時における前記利用者の位置を推定し、当該推定された位置が前記コンテンツを提供する領域内であるコンテンツを選択して取得し、再生先へ出力する選択手段として機能させるための案内プログラムを記録したコンピュータ読み取り可能な記憶媒体。
［９］コンテンツ、前記コンテンツの再生時間及び前記コンテンツ毎に異なる提供範囲に関する情報を記憶する記憶手段と、
利用者の現在位置を取得し、移動状況を算出する算出手段と、
前記算出手段により算出された前記利用者の移動状況に基づいて、前記コンテンツの再生時間経過時における前記利用者の位置を推定し、当該推定された位置が前記コンテンツの提供範囲内であるコンテンツを前記記憶手段から選択する選択手段とを有する案内装置。
【発明の効果】
【００１５】
請求項１、７から９に係る発明によれば、利用者の移動状況及び案内対象の性質等に応じて案内対象を案内することができる。
【００１６】
請求項２に係る発明によれば、利用者の移動状況に合わせて予め定めた再生時間の範囲内のコンテンツを選択することができる。
【００１７】
請求項３に係る発明によれば、利用者の移動状況に合わせてコンテンツの再生速度を変更することができる。
【００１８】
請求項４に係る発明によれば、利用者の移動状況に合わせてコンテンツの生成速度を変更して再生することができる。
【００１９】
請求項５に係る発明によれば、案内対象の性質等に応じて案内対象を案内しないようにすることができる。
【００２０】
請求項６に係る発明によれば、利用者の目的及び／又は利用者の属性に応じて案内対象を案内することができる。
【図面の簡単な説明】
【００２１】
【図１】図１は、案内装置の使用態様の一例を示す概略図である。
【図２】図２は、案内装置の構成の一例を示すブロック図である。
【図３】図３は、コンテンツ情報の構成の一例を示す概略図である。
【図４】図４は、利用者属性情報の構成の一例を示す概略図である。
【図５】図５は、観光要件情報の構成の一例を示す概略図である。
【図６】図６は、案内装置の基本動作の一例を示すフローチャートである。
【図７】図７は、案内装置の移動状況算出動作の一例を示すフローチャートである。
【図８】図８は、案内装置のコンテンツ選択動作の一例を示すフローチャートである。
【図９】図９は、移動状況の算出動作を説明するための概略図である。
【図１０】図１０は、コンテンツ検索範囲の算出動作を説明するための概略図である。
【図１１】図１１は、再生可能時間の算出動作を説明するための概略図である。
【図１２】図１２は、第２の実施の形態に係る案内装置のコンテンツ選択動作の一例を示すフローチャートである。
【図１３】図１３は、第２の実施の形態に係る案内装置の再生コンテンツリストの作成動作の一例を示すフローチャートである。
【図１４】図１４は、利用者の移動手段に応じてコンテンツ提供範囲を変更する変形例を示す概略図である。
【図１５】図１５は、利用者の移動速度に応じてコンテンツを選択する際の優先度を変更する変形例を示す概略図である。
【図１６】図１６は、遮蔽物を考慮してコンテンツ提供範囲を変更する変形例を示す概略図である。
【発明を実施するための形態】
【００２２】
［第１の実施の形態］
（使用態様）
図１は、案内装置の使用態様の一例を示す概略図である。
【００２３】
案内装置１は、利用者２によって携帯されるものであり、予め登録された案内対象３ａ−３ｃの案内用のコンテンツを再生する。案内用のコンテンツは、音声、映像、静止画等で再生され、案内装置１の音声出力部、表示部に出力される。なお、利用者２は、徒歩、自転車、自動車、電車、船舶、飛行機、ロケット等の移動手段により移動する。
【００２４】
（案内装置の構成）
図２は、案内装置１の構成の一例を示すブロック図である。
【００２５】
案内装置１は、ＣＰＵ（Ｃｅｎｔｒａｌ  Ｐｒｏｃｅｓｓｉｎｇ  Ｕｎｉｔ）等から構成され各部を制御するとともに各種のプログラムを実行する制御部１０と、ＨＤＤ（Ｈａｒｄ  Ｄｉｓｋ  Ｄｒｉｖｅ）やフラッシュメモリ等の記録媒体から構成され情報を記憶する記憶装置の一例としての記憶部１１と、自己の装置の位置情報としてＧＰＳ（Ｇｌｏｂａｌ  Ｐｏｓｉｔｉｏｎｉｎｇ  Ｓｙｓｔｅｍ）情報を受信するＧＰＳ情報受信部１２と、ＬＣＤ（Ｌｉｑｕｉｄ  Ｃｒｙｓｔａｌ  Ｄｉｓｐｌａｙ）等の表示部１３と、スピーカ及びアンプ等より構成されて音声を出力する音声出力部１４と、タッチパッド又は複数の操作キーからなる操作部１５と、ネットワークを介して外部と通信する通信部１６とを備える。
【００２６】
制御部１０は、記憶部１１の案内プログラム１１０を実行することで、ＧＰＳ情報受信手段１００、移動状況算出手段１０１、コンテンツ選択手段１０２及びコンテンツ再生手段１０３等として機能する。
【００２７】
ＧＰＳ情報受信手段１００は、ＧＰＳ情報受信部１２が受信したＧＰＳ情報を受信してＧＰＳ情報１１１として記憶部１１に記憶する。
【００２８】
移動状況算出手段１０１は、ＧＰＳ情報１１１に基づいて利用者の現在位置、移動速度（速さ及び方向）を算出する。
【００２９】
コンテンツ選択手段１０２は、主として移動状況算出手段１０１が算出した現在位置、移動速度等に基づいてコンテンツ情報１１２から再生するべきコンテンツを選択する。また、コンテンツ選択手段１０２は、利用者属性情報１１３及び観光要件情報１１４に基づいてコンテンツ情報１１２から再生するべきコンテンツを選択する。
【００３０】
コンテンツ再生手段１０３は、コンテンツ選択手段１０２が選択したコンテンツを再生し、表示部１３や音声出力部１４に出力する。
【００３１】
記憶部１１は、制御部１０を上記した手段１００−１０３として機能させるための案内プログラム１１０、ＧＰＳ情報受信手段１００が受信したＧＰＳ情報１１１、案内対象毎に用意された案内用のコンテンツであるコンテンツ情報１１２、案内装置１の利用者２の属性を示す利用者属性情報１１３及び案内装置１の利用者２の観光の要件を示す観光要件情報１１４等を格納する。
【００３２】
なお、利用者が携帯する案内装置に制御部１０（ＧＰＳ情報受信手段１００及びコンテンツ再生手段１０３のみ）、ＧＰＳ情報受信部１２、音声出力部１４及び通信部１６を設け、他の構成を外部のサーバ等に設けて、当該サーバ等において移動状況算出手段１０１、コンテンツ選択手段１０２を機能させるクラウドコンピューティングの構成としてもよい。また、案内装置に設ける構成と外部サーバに設ける構成とは適宜入れ替えて構成してもよい。
【００３３】
図３は、コンテンツ情報１１２の構成の一例を示す概略図である。
【００３４】
コンテンツ情報１１２は、案内対象の識別子を示す案内対象ＩＤ欄と、コンテンツの識別子を示すコンテンツＩＤ欄と、案内対象の所在の位置情報を示す案内対象所在位置欄と、案内対象の所在位置を中心としてコンテンツを提供する範囲を示すコンテンツ提供範囲と、コンテンツの再生時間を示す再生時間欄と、コンテンツに適した観光目的を示す観光目的欄と、コンテンツを再生するための条件となる案内装置の移動速度を示す移動速度欄と、案内対象に対して再生する音声コンテンツの識別子を示す音声コンテンツＩＤ欄とを有する。
【００３５】
なお、コンテンツ情報１１２は、一例として案内装置１の管理者によって予め登録されるものである。
【００３６】
図４は、利用者属性情報１１３の構成の一例を示す概略図である。
【００３７】
利用者属性情報１１３は、利用者の識別子を示す利用者ＩＤ欄と、利用者の性別を示す性別欄と、利用者の年代を示す年代欄とを有する。
【００３８】
なお、利用者属性情報１１３は、一例として利用者２又は案内装置１の管理者によって予め登録されるものである。
【００３９】
図５は、観光要件情報１１４の構成の一例を示す概略図である。
【００４０】
観光要件情報１１４は、観光に出発する時刻を示す出発時刻欄と、観光に出発する場所を示す出発場所欄と、観光を終了する時刻を示す終了時刻欄と、観光を終了する場所を示す終了場所欄と、観光に要する時間を示す所要時間欄と、旅の目的を示す旅の目的欄とを有する。
【００４１】
なお、観光要件情報１１４は、一例として利用者２によって予め設定されるものである。
【００４２】
（案内装置の動作）
次に、本実施の形態の作用を、（１）基本動作、（２）移動状況算出動作、（３）コンテンツ選択動作、（４）コンテンツ再生動作に分けて説明する。
【００４３】
まず、案内装置１の動作の概要を説明する。
【００４４】
（１）基本動作
図６は、案内装置１の基本動作の一例を示すフローチャートである。
【００４５】
移動状況算出手段１０１は、ＧＰＳ情報１１１に基づいて利用者の現在位置、移動速度（速さ及び方向）を算出する（Ｓ１）。
【００４６】
次に、コンテンツ選択手段１０２は、主として移動状況算出手段１０１が算出した現在位置、移動速度等に基づいてコンテンツ情報１１２から再生するべきコンテンツを選択する（Ｓ２）。
【００４７】
ステップＳ２において再生コンテンツが選択された場合（Ｓ３；Ｙｅｓ）、コンテンツ再生手段１０３は、コンテンツ選択手段１０２が選択したコンテンツを再生し、表示部１３や音声出力部１４に出力する（Ｓ４）。
【００４８】
次に、以下に示す「（２）移動状況算出動作」において、図６のステップＳ１を詳細に説明する。
【００４９】
（２）移動状況算出動作
図７は、案内装置１の移動状況算出動作の一例を示すフローチャートである。
【００５０】
まず、ＧＰＳ情報受信手段１００は、ＧＰＳ情報受信部１２が受信したＧＰＳ情報を受信してＧＰＳ情報１１１として記憶部１１に記憶する（Ｓ１０）。
【００５１】
次に、移動状況算出手段１０１は、ＧＰＳ情報１１１として少なくとも２つの位置情報がある場合に移動状況を算出可能として（Ｓ１１；Ｙｅｓ）、以下の方法により現在位置及び移動速度を算出する（Ｓ１２）。
【００５２】
図９は、移動状況の算出動作を説明するための概略図である。
【００５３】
移動状況算出手段１０１は、現在時刻をｔ２としたとき利用者２の現在の所在位置ｐ（ｘｕ（ｔ２），ｙｕ（ｔ２））と、現在時刻ｔ２より１つ前にＧＰＳ情報受信手段１００がＧＰＳ情報を受信した時刻ｔ１における利用者２の所在位置ｐ（ｘｕ（ｔ１），ｙｕ（ｔ１））と、現在時刻ｔ２より２つ前にＧＰＳ情報受信手段１００がＧＰＳ情報を受信した時刻ｔ０における利用者２の所在位置ｐ（ｘｕ（ｔ０），ｙｕ（ｔ０））とをＧＰＳ情報１１１から取得する。
【００５４】
次に、１つ前と現在位置とを結ぶベクトルｄ２と、２つ前と１つ前とを結ぶベクトルｄ１とを求め、ｄ１及びｄ２の平均から移動速度ｖを算出する。なお、現在位置はｐ（ｘｕ（ｔ２），ｙｕ（ｔ２））である。また、ｄ１のみから移動速度ｖを算出してもよいし、より多くの位置情報の平均から移動速度ｖを算出してもよい。なお、移動状況算出手段１０１は、時刻及び位置情報から利用者２の「移動経路」、「移動速度」及び「移動方向」の少なくとも１つを含む移動状況を算出するものであってもよい。
【００５５】
次に、以下に示す「（３）コンテンツ選択動作」において、図６のステップＳ２を詳細に説明する。
【００５６】
（３）コンテンツ選択動作
図８は、案内装置１のコンテンツ選択動作の一例を示すフローチャートである。
【００５７】
まず、コンテンツ選択手段１０２は、コンテンツ検索範囲を算出する（Ｓ２０）。ここで、コンテンツ検索範囲とは、利用者２を中心としてコンテンツ情報１１２からコンテンツを取得する領域の範囲をいう。
【００５８】
図１０は、コンテンツ検索範囲の算出動作を説明するための概略図である。
【００５９】
コンテンツ検索範囲Ａｓは、一例として、利用者の現在の位置ｐを中心として半径ｒの円の内側の領域で表される。ここで、ｒ＝ｆ（｜ｖ｜）であり、ｆ（ｘ）はｘ≧０において定義される単調増加関数である。つまり、利用者２の移動の速さが大きくなるに従い、コンテンツ検索範囲Ａｓが大きくなることを示す。なお、コンテンツ検索範囲Ａｓの外形は円に限らず、扇形や多角形でもよい。
【００６０】
次に、コンテンツ選択手段１０２は、コンテンツ情報１１２から案内対象所在位置欄の値がコンテンツ検索範囲Ａｓに含まれるコンテンツを取得する（Ｓ２１）。
【００６１】
ステップＳ２１でコンテンツが取得された場合（Ｓ２２；Ｙｅｓ）はステップＳ２３へと進み、取得されなかった場合（Ｓ２２；Ｎｏ）は動作を終了する。
【００６２】
次に、コンテンツ選択手段１０２は、再生可能時間を算出する。ここで、再生可能時間とは、コンテンツ情報１１２の案内対象所在位置欄の値とコンテンツ提供範囲欄の値とで定まるコンテンツ提供範囲内に利用者が滞在すると推定される時間のことをいう。
【００６３】
図１１は、再生可能時間の算出動作を説明するための概略図である。
【００６４】
まず、コンテンツ提供範囲Ａｐは、案内対象所在位置欄の値をｃ（ｘ０，ｙ０）、コンテンツ提供範囲欄の値をｒｃとすると、ｃ（ｘ０，ｙ０）を中心として半径ｒｃの円の内側の領域となる。
【００６５】
現在時刻をｔ１、利用者の現在位置を（ｘｕ（ｔ１），ｙｕ（ｔ１））、移動方向をθ、利用者２がコンテンツ提供範囲を出る予想地点を（ｘ，ｙ）とすると、以下の関係式が成り立つ。
【数１】
0005477444.tif 000002
【００６６】
上記の数式（１）、（２）を解くことにより再生可能時間ｔαは以下の数式（３）のように求まる。
【数２】
0005477444.tif 000003
【００６７】
なお、解が２つ求まるが、移動方向から１つに特定するものとする。また、案内対象が人気のあるものである場合等であって、利用者２の移動速度が遅くなることが予想される場合には、再生可能時間ｔαが長くなるように補正してもよい。
【００６８】
また、過去に他の利用者がコンテンツ提供範囲内に滞在した時間に関する情報を蓄積した観光履歴情報をさらに用意して、コンテンツ選択手段１０２は、利用者の移動状況（現在位置、移動速度）及び観光履歴情報に基づいて再生可能時間を算出してもよい。
【００６９】
次に、コンテンツ選択手段１０２は、コンテンツ情報１１２の再生時間欄を確認し、再生時間が再生可能時間ｔαより短いコンテンツがある場合（Ｓ２４；Ｙｅｓ）はステップＳ２５へと進み、コンテンツがない場合（Ｓ２４；Ｎｏ）は再生速度を変更して再生可能時間ｔα内に収まるようにし（Ｓ２８）、変更後の再生速度が予め定めた基準の再生速度以下である場合（Ｓ２９；Ｙｅｓ）はステップＳ２５へと進む。これは、再生速度を速め過ぎると利用者がコンテンツを聴き取りづらくなるため、再生速度が予め定めた基準以下のコンテンツを再生するようにしたものである。なお、再生時間が再生可能時間ｔαより短いコンテンツがない場合（Ｓ２４；Ｎｏ）であっても、再生可能時間ｔαより予め定めた時間以内（例えば、数秒程度）のコンテンツがある場合は、再生速度を変更せずにコンテンツを選択するようにしてもよい。
【００７０】
次に、再生可能時間ｔα以内のコンテンツが複数ある場合（Ｓ２５；Ｙｅｓ）、最適なコンテンツを選択する（Ｓ２６）。ここで、最適なコンテンツとは、再生速度に関しては再生速度を変更していないコンテンツであり、再生時間の長短に関しては再生時間が長いコンテンツである。
【００７１】
（４）コンテンツ再生動作
次に、コンテンツ再生手段１０３は、コンテンツ情報１１２からコンテンツ選択手段１０２により選択されたコンテンツを再生する（Ｓ２７）。ここで、コンテンツの再生速度が変更されていた場合は、変更後の再生速度でコンテンツを再生する。
【００７２】
（第１の実施の形態の効果）
上記した実施の形態によると、利用者２の移動状況に適合するコンテンツ提供範囲と再生時間とを有するコンテンツを選択して再生したため、利用者２の移動状況及び案内対象の性質等に応じて案内対象を案内することができる。つまり、例えば、利用者２が遠くから視認できる案内対象であればコンテンツ提供範囲を大きく、近くでないと視認できない案内対象であればコンテンツ提供範囲を小さくするとともに、当該コンテンツ提供範囲を通過する利用者２の移動速度に応じてコンテンツを選択し、再生速度を変更した。
【００７３】
なお、コンテンツ情報１１２は利用者属性情報１１３及び観光要件情報１１４に設けられた項目をさらに設けて、コンテンツ選択手段１０２はコンテンツ情報１１２の条件に応じて利用者２の利用者属性情報１１３及び観光要件情報１１４に適合したコンテンツを選択するようにしてもよい。これは図８のステップＳ２６の最適コンテンツの選択の際に用いられる。
【００７４】
［第２の実施の形態］
第２の実施の形態は、第１の実施の形態と比べて「（３）コンテンツ選択動作」の内容が異なる。そのため、第１の実施の形態と共通する構成及び動作については説明を省略するものとする。
【００７５】
図１２は、第２の実施の形態に係る案内装置のコンテンツ選択動作の一例を示すフローチャートである。なお、ステップＳ５５−Ｓ５８以外のステップは、図８の動作と共通するものである。
【００７６】
ステップＳ５５において、コンテンツ選択手段１０２は、複数のコンテンツを再生順にリスト化した再生コンテンツリストを作成する（Ｓ５５）。具体的には、再生可能時間内のコンテンツがある場合に、さらにコンテンツ検索範囲内で続けて再生できるコンテンツを検索して再生コンテンツリストに追加する。なお、再生コンテンツリストの作成方法は、図１３において詳細に説明する。
【００７７】
次に、コンテンツ選択手段１０２は、作成した再生コンテンツリストが複数ある場合（Ｓ５６；Ｙｅｓ）、複数の再生コンテンツリスト（以下、「再生コンテンツリスト群」という。）から所定の条件に基づいて最適な再生コンテンツリストを選択する（Ｓ５７）。ここで、所定の条件として、できるだけ多くのコンテンツを再生できる再生コンテンツリストを優先するといった条件や、優先度の高いコンテンツを含む再生コンテンツリストを優先するといった条件等を設定することができる。
【００７８】
次に、コンテンツ再生手段１０３は、コンテンツ情報１１２からコンテンツ選択手段１０２により作成された再生コンテンツリストのコンテンツを再生する（Ｓ５８）。ここで、コンテンツの再生速度が変更されていた場合は、変更後の再生速度でコンテンツを再生する。
【００７９】
図１３は、第２の実施の形態に係る案内装置の再生コンテンツリストの作成動作の一例を示すフローチャートである。
【００８０】
まず、コンテンツ選択手段１０２は、現在作成中の再生コンテンツリストを受け取り、利用者２の移動速度ベクトル及び再生コンテンツリストに含まれるコンテンツの再生時間から最後のコンテンツが再生を終了する時点での利用者２の位置である再生終了地点を算出する（Ｓ５５０）。
【００８１】
次に、再生終了地点がコンテンツ検索範囲内である場合（Ｓ５５１；Ｙｅｓ）、再生終了地点をコンテンツ提供範囲に含むコンテンツをコンテンツ情報１１２から検索する（Ｓ５５２）。
【００８２】
コンテンツ情報１１２からコンテンツが検索された場合（Ｓ５５３；Ｙｅｓ）、当該コンテンツの再生可能時間を算出する（Ｓ５５４）。
【００８３】
再生可能時間内で当該コンテンツを再生できる場合（Ｓ５５５；Ｙｅｓ）、再生コンテンツリストに当該コンテンツを追加する（Ｓ５５６）。
【００８４】
また、再生可能時間内で当該コンテンツを再生できない場合（Ｓ５５５；Ｎｏ）、再生速度を変更して再生可能時間内に収まるようにし（Ｓ５５８）、再生速度が予め定めた基準の再生速度以下である場合（Ｓ５５９；Ｙｅｓ）はステップＳ５５６へと進む。
【００８５】
上記したステップＳ５５０−Ｓ５５６、Ｓ５５８及びＳ５５９をすべてのコンテンツについて実行する（Ｓ５５７）。
【００８６】
また、ステップＳ５５１、Ｓ５５３、Ｓ５５９において「Ｎｏ」であった場合、現在作成中の再生コンテンツリストを複数の再生コンテンツリストからなる再生コンテンツリスト群に追加する（Ｓ５６０）。
【００８７】
（第２の実施の形態の効果）
上記した第２の実施の形態によると、第１の実施の形態の効果に加え、複数のコンテンツをリスト化した再生コンテンツリスト群を作成したため、連続して複数のコンテンツを再生することができる。
【００８８】
なお、本発明は、上記実施の形態に限定されず、本発明の趣旨を逸脱しない範囲で種々な変形が可能である。例えば、案内装置１は、案内対象を避難場所又は避難場所への通過地点等として、避難誘導システム等に応用してもよい。
【００８９】
また、以下の図１４−図１６に示すように変形してもよい。なお、以下の例においてお地蔵さんに対するコンテンツ１（再生時間１０秒）、コンテンツ２（再生時間３０秒）、コンテンツ３（再生時間６０秒）、××山に対するコンテンツ４（再生時間２０秒）、コンテンツ５（再生時間４０秒）が用意されているものとする。
【００９０】
図１４は、利用者の移動手段に応じてコンテンツ提供範囲を変更する変形例を示す概略図である。
【００９１】
移動手段を徒歩とする利用者２ａと、移動手段を電車とする利用者２ｂとが存在する場合であって、ｖａ＜ｖｂである場合について説明する。
【００９２】
コンテンツ選択手段１０２は、コンテンツ情報１１２の移動速度欄に基づいてコンテンツ提供範囲を変更する。例えば、利用者２ａに対してコンテンツ提供範囲Ａｐａを１０ｍとし、利用者２ｂに対してコンテンツ提供範囲Ａｐｂを１００ｍとする。また、コンテンツ提供範囲に応じて利用者２ａ及び２ｂの再生可能時間が算出され、当該再生可能時間に収まるコンテンツが選択される。例えば、利用者２ａの再生可能時間が７０秒と算出された場合は、再生時間が６０秒のコンテンツ３を選択し、利用者２ｂの再生可能時間が１３秒と算出された場合は、再生時間が１０秒のコンテンツ１を選択する。
【００９３】
図１５は、利用者の移動速度に応じてコンテンツを選択する際の優先度を変更する変形例を示す概略図である。
【００９４】
移動手段を電車とする利用者２ｃが存在する場合であって、××山のように大きな案内対象３ｃのコンテンツ提供範囲Ａｐｃと、お地蔵さんのように小さな案内対象３ｄのコンテンツ提供範囲Ａｐｄとの両方に利用者２ｃの現在位置が含まれる場合について説明する。
【００９５】
例えば、利用者２ｃのお地蔵さん３ｄに対する再生可能時間が８秒、××山３ｅに対する再生可能時間が３０秒と算出された場合は、お地蔵さんに対するコンテンツには再生時間が８秒以内のコンテンツが存在しないため、コンテンツ１−３は選択されない。また、××山のコンテンツには再生時間が３０秒以内のコンテンツが存在するためコンテンツ２が選択される。
【００９６】
なお、××山のコンテンツに再生時間が３０秒以内のコンテンツが存在しない場合には、お地蔵さんに対するコンテンツ１の再生速度を変更して８秒として選択してもよい。
【００９７】
図１６は、遮蔽物を考慮してコンテンツ提供範囲を変更する変形例を示す概略図である。
【００９８】
お地蔵さん３ｇのコンテンツ提供範囲Ａｐｇ内に利用者２ｄが存在する場合であっても、当該コンテンツ提供範囲Ａｐｇ内に遮蔽物４ａが存在する場合は、範囲Ａｂにおいてお地蔵さん３ｇが見えないものとしてコンテンツ提供範囲Ａｐｇから範囲Ａｂを除外する。当該範囲Ａｂの情報はコンテンツ情報１１２等に遮蔽物による範囲の欄を用意して指定するものとする。
【００９９】
上記実施の形態では制御部１０の各手段１００〜１０３の機能をプログラムで実現したが、各手段の全て又は一部をＡＳＩＣ等のハードウエアによって実現してもよい。また、上記実施の形態で用いたプログラムをＣＤ−ＲＯＭ等の記録媒体に記憶して提供することもできる。また、上記実施の形態で説明した上記ステップの入れ替え、削除、追加等は本発明の要旨を変更しない範囲内で可能である。
【符号の説明】
【０１００】
１     案内装置
２、２ａ−２ｄ       利用者
３ａ−３ｅ    案内対象
４ａ   遮蔽物
１０   制御部
１１   記憶部
１２   ＧＰＳ情報受信部
１３   表示部
１４   音声出力部
１５   操作部
１６   通信部
１００ ＧＰＳ情報受信手段
１０１ 移動状況算出手段
１０２ コンテンツ選択手段
１０３ コンテンツ再生手段
１１０ 案内プログラム
１１１ ＧＰＳ情報
１１２ コンテンツ情報
１１３ 利用者属性情報
１１４ 観光要件情報
【要約】
【課題】利用者の移動状況及び案内対象の性質等に応じて案内対象を案内する案内装置、案内プログラム及び記憶媒体を提供する。
【解決手段】案内装置１は、コンテンツの再生時間及びコンテンツを提供する領域に関する情報を少なくとも有するコンテンツ情報１１２を記憶する記憶部１１と、利用者２の現在位置及び移動速度を算出する移動状況算出手段１０１と、移動状況算出手段１０１が算出した利用者２の現在位置及び移動速度に基づいて、コンテンツの再生時間経過時に利用者２がいると推定される位置がコンテンツを提供する領域内であるコンテンツをコンテンツ情報１１２から選択するコンテンツ選択手段１０２と、コンテンツ選択手段１０２が選択したコンテンツを再生するコンテンツ再生手段１０３とを有する。
【選択図】図２【図１】
0005477444.tif 000004
【図２】
0005477444.tif 000005
【図３】
0005477444.tif 000006
【図４】
0005477444.tif 000007
【図５】
0005477444.tif 000008
【図６】
0005477444.tif 000009
【図７】
0005477444.tif 000010
【図８】
0005477444.tif 000011
【図９】
0005477444.tif 000012
【図１０】
0005477444.tif 000013
【図１１】
0005477444.tif 000014
【図１２】
0005477444.tif 000015
【図１３】
0005477444.tif 000016
【図１４】
0005477444.tif 000017
【図１５】
0005477444.tif 000018
【図１６】
0005477444.tif 000019